(57)【要約】    【課題】  高ズーム比で全ズーム範囲及び全物体距離範囲にわたり高い光学性能が容易に得られる全系が小型のズームレンズを得ること。    【解決手段】  物体側より像側へ順に配置された、正、負、正、負、正の屈折力の第１レンズ群、第２レンズ群、第３レンズ群、第４レンズ群、第５レンズ群からなり、ズーミングに際して隣り合うレンズ群の間隔が変化するズームレンズであって、フォーカシングに際して第２レンズ群が移動し、第２レンズ群は物体側から像側へ順に配置された、負レンズ、負レンズ、正レンズ、負レンズからなり、第２レンズ群の焦点距離ｆ２、第２レンズ群の光軸上の厚さＢ２Ｄ、第２レンズ群に含まれる正レンズの材料の屈折率Ｂ２ＰＮ、第２レンズ群に含まれる負レンズの材料の屈折率の平均値Ｂ２ＮａｖｅＮを各々適切に設定すること。【選択図】    図１
2018004675.tif 000002
【特許請求の範囲】
【請求項１】
物体側より像側へ順に配置された、正の屈折力の第１レンズ群、負の屈折力の第２レンズ群、正の屈折力の第３レンズ群、負の屈折力の第４レンズ群、正の屈折力の第５レンズ群からなり、ズーミングに際して隣り合うレンズ群の間隔が変化するズームレンズであって、
フォーカシングに際して前記第２レンズ群が移動し、前記第２レンズ群は物体側から像側へ順に配置された、負レンズ、負レンズ、正レンズ、負レンズからなり、
前記第２レンズ群の焦点距離をｆ２、前記第２レンズ群の光軸上の厚さをＢ２Ｄ、前記第２レンズ群に含まれる正レンズの材料の屈折率をＢ２ＰＮ、前記第２レンズ群に含まれる負レンズの材料の屈折率の平均値をＢ２ＮａｖｅＮとするとき、
１．０６５＜Ｂ２Ｄ／｜ｆ２｜＜１．１９０
１．８５＜Ｂ２ＰＮ
１．８５＜Ｂ２ＮａｖｅＮ
なる条件式を満足することを特徴とするズームレンズ。
【請求項２】
前記第２レンズ群に含まれる正レンズの材料のアッベ数をＢ２Ｐνとするとき、
Ｂ２Ｐν＜２２．０
なる条件式を満足することを特徴とする請求項１に記載のズームレンズ。
【請求項３】
広角端における全系の焦点距離をｆｗとするとき、
０．５５＜Ｂ２Ｄ／ｆｗ＜０．８０
なる条件式を満足することを特徴とする請求項１または２に記載のズームレンズ。
【請求項４】
広角端における全系の焦点距離をｆｗとするとき、
０．４５＜｜ｆ２｜／ｆｗ＜０．７５
なる条件式を満足することを特徴とする請求項１乃至３のいずれか１項に記載のズームレンズ。
【請求項５】
前記第１レンズ群の焦点距離をｆ１、望遠端における全系の焦点距離をｆｔとするとき、
０．８０＜ｆ１／ｆｔ＜１．２０
なる条件式を満足することを特徴とする請求項１乃至４のいずれか１項に記載のズームレンズ。
【請求項６】
前記第１レンズ群の焦点距離をｆ１とするとき、
０．１０＜｜ｆ２｜／ｆ１＜０．１９
なる条件式を満足することを特徴とする請求項１乃至５のいずれか１項に記載のズームレンズ。
【請求項７】
前記第３レンズ群の焦点距離をｆ３とするとき、
０．５０＜｜ｆ２｜／ｆ３＜０．８０
なる条件式を満足することを特徴とする請求項１乃至６のいずれか１項に記載のズームレンズ。
【請求項８】
前記第４レンズ群の焦点距離をｆ４とするとき、
０．３５＜ｆ２／ｆ４＜０．８０
なる条件式を満足することを特徴とする請求項１乃至７のいずれか１項に記載のズームレンズ。
【請求項９】
前記第４レンズ群の焦点距離をｆ４、広角端における全系の焦点距離をｆｗとするとき、
０．９０＜｜ｆ４｜／ｆｗ＜１．３０
なる条件式を満足することを特徴とする請求項１乃至８のいずれか１項に記載のズームレンズ。
【請求項１０】
前記第３レンズ群の焦点距離をｆ３、前記第５レンズ群の焦点距離をｆ５とするとき、
０．３５＜ｆ３／ｆ５＜０．６５
なる条件式を満足することを特徴とする請求項１乃至９のいずれか１項に記載のズームレンズ。
【請求項１１】
前記第５レンズ群は正レンズを有し、前記第５レンズ群に含まれる正レンズの材料の屈折率とアッベ数を各々Ｂ５ＰＮ、Ｂ５Ｐνとするとき、前記第５レンズ群は、
１．５１＜Ｂ５ＰＮ
６５．０＜Ｂ５Ｐν
なる条件式を満足する材料から形成された正レンズを含むことを特徴とする請求項１乃至１０のいずれか１項に記載のズームレンズ。
【請求項１２】
像ぶれ補正に際して前記第４レンズ群は光軸に対して垂直方向の成分を持つ方向に移動することを特徴とする請求項１乃至１１のいずれか１項に記載のズームレンズ。
【請求項１３】
広角端から望遠端へのズーミングに際して、前記第１レンズ群は物体側へ移動し、前記第２レンズ群は像側へ凸状の軌跡を描いて移動し、前記第３レンズ群は物体側へ移動し、前記第４レンズ群は物体側へ移動し、前記第５レンズ群は物体側へ移動することを特徴とする請求項１乃至１２のいずれか１項に記載のズームレンズ。
【請求項１４】
請求項１乃至１３のいずれか１項に記載のズームレンズと、該ズームレンズによって形成された像を受光する撮像素子を有することを特徴とする撮像装置。
【発明の詳細な説明】
【技術分野】
【０００１】
本発明はズームレンズに関するものであり、例えばデジタルスチルカメラ、ビデオカメラ、監視カメラ、放送用カメラ、銀塩フィルム用カメラ等の撮像装置に用いる撮像光学系として好適なものである。
【背景技術】
【０００２】
近年、固体撮像素子を用いた撮像装置は、装置全体が小型化されている。そしてそれに用いる撮像光学系としては、レンズ全長が短く、全系が小型で、かつ高ズーム比で、しかも全ズーム範囲にわたり高い光学性能を有したズームレンズであること等が要求されている。更に高速な自動焦点が行えるようなフォーカシング方式を用いたズームレンズであることが要望されている。
【０００３】
フォーカシング方式として、インナーフォーカス式のズームレンズは、第１レンズ群を移動させてフォーカスを行うズームレンズに比べてフォーカスレンズ群の有効径が小さくなり、レンズ系全体の小型化が容易になる。また近接撮影、特に極至近撮影が容易となる。更に小型軽量のレンズ群を移動させているので、レンズ群の駆動力が小さくて済み、迅速なフォーカスが容易となる等の特徴がある。
【０００４】
これらの要求を満足するズームレンズの１つとして、物体側より像側へ順に、正、負、正、負、正の屈折力の第１レンズ群乃至第５レンズ群よりなる５群ズームレンズが知られている（特許文献１、２）。特許文献１、２では各レンズ群を移動させてズーミングを行い、高ズーム比で全ズーム範囲にわたり高い光学性能を有したズームレンズを開示している。更に特許文献１、２ではフォーカシングに際して第２レンズ群を移動させ、高速なフォーカシングが容易なズームレンズを開示している。
【先行技術文献】
【特許文献】
【０００５】
【特許文献１】特開２００９−２４４４４３号公報
【特許文献２】特開平１０−１１１４５６号公報
【発明の概要】
【発明が解決しようとする課題】
【０００６】
前述した屈折力配置の５群ズームレンズは全系の小型化を図りつつ、高ズーム比化を図り、かつ高い光学性能を得ることが比較的容易である。またフォーカシングに際して小型軽量の第２レンズ群を移動させる方式をとることにより、高速なフォーカシングを容易にしている。しかしながら全系の小型化を図るために各レンズ群の屈折力を単に強めるとズーミングに際して収差変動が増大し、またフォーカシングに際しても収差変動が増加し、全ズーム範囲及び全物体距離に範囲にわたり高い光学性能を得るのが困難になってくる。
【０００７】
前述した５群ズームレンズにおいて、高ズーム比化を図りつつ全ズーム範囲及び全物体距離範囲にわたり高い光学性能を得るには各レンズ群の屈折力や各レンズ群のレンズ構成、特に第２レンズ群のレンズ構成を適切に設定することが重要となる。これらの要素を適切に設定しないと全系の小型化を図り、かつ高ズーム比で、全ズーム範囲及び全物体距離範囲で高い光学性能を得るのが大変困難になってくる。
【０００８】
本発明は、高ズーム比で全ズーム範囲及び全物体距離範囲にわたり高い光学性能が容易に得られる全系が小型のズームレンズ及びそれを有する撮像装置の提供を目的とする。
【課題を解決するための手段】
【０００９】
本発明のズームレンズは、物体側より像側へ順に配置された、正の屈折力の第１レンズ群、負の屈折力の第２レンズ群、正の屈折力の第３レンズ群、負の屈折力の第４レンズ群、正の屈折力の第５レンズ群からなり、ズーミングに際して隣り合うレンズ群の間隔が変化するズームレンズであって、
フォーカシングに際して前記第２レンズ群が移動し、前記第２レンズ群は物体側から像側へ順に配置された、負レンズ、負レンズ、正レンズ、負レンズからなり、前記第２レンズ群の焦点距離をｆ２、前記第２レンズ群の光軸上の厚さをＢ２Ｄ、前記第２レンズ群に含まれる正レンズの材料の屈折率をＢ２ＰＮ、前記第２レンズ群に含まれる負レンズの材料の屈折率の平均値をＢ２ＮａｖｅＮとするとき、
１．０６５＜Ｂ２Ｄ／｜ｆ２｜＜１．１９０
１．８５＜Ｂ２ＰＮ
１．８５＜Ｂ２ＮａｖｅＮ
なる条件式を満足することを特徴としている。
【発明の効果】
【００１０】
本発明によれば、高ズーム比で全ズーム範囲及び全物体距離範囲にわたり高い光学性能が容易に得られる全系が小型のズームレンズが得られる。
【図面の簡単な説明】
【００１１】
【図１】実施例１のズームレンズの広角端におけるレンズ断面図
【図２】（Ａ）、（Ｂ）、（Ｃ）  実施例１のズームレンズの広角端、中間のズーム位置、望遠端における諸収差図
【図３】実施例２のズームレンズの広角端におけるレンズ断面図
【図４】（Ａ）、（Ｂ）、（Ｃ）  実施例２のズームレンズの広角端、中間のズーム位置、望遠端における諸収差図
【図５】実施例３のズームレンズの広角端におけるレンズ断面図
【図６】（Ａ）、（Ｂ）、（Ｃ）  実施例３のズームレンズの広角端、中間のズーム位置、望遠端における諸収差図
【図７】撮像装置の一例としての要部概略図
【発明を実施するための形態】
【００１２】
以下に、本発明の好ましい実施の形態を、添付の図面に基づいて詳細に説明する。本発明のズームレンズは、物体側より像側へ順に配置された、正の屈折力（焦点距離の逆数）の第１レンズ群、負の屈折力の第２レンズ群、正の屈折力の第３レンズ群、負の屈折力の第４レンズ群、正の屈折力の第５レンズ群からなる。ズーミングに際して隣り合うレンズ群の間隔が変化する。フォーカシングに際して第２レンズ群が移動する。
【００１３】
図１は本発明での実施例１のズームレンズの広角端（短焦点距離端）におけるレンズ断面図、図２（Ａ）、（Ｂ）、（Ｃ）はそれぞれ実施例１のズームレンズの広角端、中間のズーム位置、望遠端（長焦点距離端）における収差図である。実施例１はズーム比４．１、開口比４．１程度のズームレンズである。
【００１４】
図３は本発明での実施例２のズームレンズの広角端におけるレンズ断面図、図４（Ａ）、（Ｂ）、（Ｃ）はそれぞれ実施例２のズームレンズの広角端、中間のズーム位置、望遠端における収差図である。実施例２はズーム比４．１、開口比４．１程度のズームレンズである。
【００１５】
図５は本発明での実施例３のズームレンズの広角端におけるレンズ断面図、図６（Ａ）、（Ｂ）、（Ｃ）はそれぞれ実施例３のズームレンズの広角端、中間のズーム位置、望遠端における収差図である。実施例３はズーム比４．６、開口比４．１程度のズームレンズである。図７は本発明の撮像装置の要部概略図である。
【００１６】
各実施例のズームレンズは、ビデオカメラ、デジタルカメラ、監視用カメラ、ＴＶカメラ等の撮像装置に用いられる撮像光学系である。レンズ断面図において、左方が被写体側（物体側）（前方）で、右方が像側（後方）である。レンズ断面図において、Ｌ０はズームレンズである。Ｂ１は正の屈折力（光学的パワー＝焦点距離の逆数）の第１レンズ群、Ｂ２は負の屈折力の第２レンズ群、Ｂ３は正の屈折力の第３レンズ群、Ｂ４は負の屈折力の第４レンズ群、Ｂ５は正の屈折力の第５レンズ群である。
【００１７】
各実施例のレンズ断面図において、ＳＰは解放Ｆナンバーの光束を決定する開口絞りであり、第３レンズ群Ｂ３中に位置している。ＦＰはフレアーカット絞りであり、第３レンズ群Ｂ３の物体側に位置している。ＧＢは光学フィルター、フェースプレート等に相当する光学ブロックである。ＩＰは像面であり、ビデオカメラやデジタルカメラの撮像光学系として使用する際にはＣＣＤセンサやＣＭＯＳセンサ等の固体撮像素子（光電変換素子）の撮像面に相当し、銀塩フィルム用カメラの撮像光学系として使用する際にはフィルム面に相当する。
【００１８】
収差図において、ＦｎｏはＦナンバー、ωは半画角（度）である。球面収差において、ｄはｄ線（波長５８７．６ｎｍ）、ｇはｇ線（波長４３５．８ｎｍ）を表示している。非点収差において、Ｍはｄ線におけるメリジオナル像面、Ｓはｄ線におけるサジタル像面を表示し、歪曲収差においてはｄ線を表示し、倍率色収差においてはｄ線に対するｇ線を表示している。
【００１９】
レンズ断面図において矢印は広角端から望遠端へのズーミングに際しての各レンズ群と開口絞りの移動軌跡と無限遠物体から近距離物体へのフォーカシングをするときの移動方向を示している。尚、以下の各実施例において広角端と望遠端は変倍レンズ群が機構上光軸上移動可能な範囲の両端に位置したときのズーム位置をいう。
【００２０】
各実施例では、広角端から望遠端へのズーミングに際して矢印のように、第１レンズ群Ｂ１は物体側に移動する。第２レンズ群Ｂ２は像側に凸状の軌跡で移動する。第３レンズ群Ｂ３は物体側に移動する。第４レンズ群Ｂ４は物体側へ移動する。また、第５レンズ群Ｂ５は物体側に移動する。ズーミングに際して各レンズ群のレンズ群間隔が変化する。
【００２１】
各実施例では、第２レンズ群Ｂ２を光軸上、移動させてフォーカシングを行っている。第２レンズ群Ｂ２に関する実線の曲線２ａと点線の曲線２ｂは、各々無限遠物体と近距離物体にフォーカスしているときの変倍に伴う像面変動を補正するための移動軌跡である。また、望遠端において無限遠物体から近距離物体へフォーカスを行う場合には、矢印２ｃに示すように第２レンズ群Ｂ２を物体側へ繰り出すことで行っている。
【００２２】
各実施例のズームレンズでは、広角端から望遠端へのズーミングに際して、各レンズ群の間隔を変えることで全ズーム範囲にわたり収差補正を良好に行っている。また、物体側から像側へ順に、第１レンズ群Ｂ１を正の屈折力、第２レンズ群Ｂ２を強い負の屈折力、第３レンズ群Ｂ３を正の屈折力、第４レンズ群Ｂ４を負の屈折力、第５レンズ群Ｂ５を正の屈折力とし、全系が小型で、かつ高ズーム比を得ている。
【００２３】
また、第２レンズ群Ｂ２を物体側から像側へ順に配置された、負レンズ、負レンズ、正レンズ、負レンズで構成し、フォーカシングに際して移動させている。これにより短い移動量でフォーカシングを容易に行いつつ、フォーカシングの際の光学性能の変動を軽減している。
【００２４】
各実施例では、第２レンズ群Ｂ２のレンズ構成を次の如く設定している。第２レンズ群Ｂ２は物体側から像側へ順に、負レンズ、負レンズ、正レンズ、負レンズからなる。第２レンズ群Ｂ２の焦点距離をｆ２、第２レンズ群Ｂ２の光軸上の厚さ（物体側のレンズ面から像側のレンズ面までの長さ）をＢ２Ｄ、第２レンズ群Ｂ２に含まれる正レンズの材料の屈折率をＢ２ＰＮとする。第２レンズ群Ｂ２に含まれる負レンズの材料の屈折率の平均値をＢ２ＮａｖｅＮとする。
【００２５】
このとき、
１．０６５＜Ｂ２Ｄ／｜ｆ２｜＜１．１９０  ・・・（１）
１．８５＜Ｂ２ＰＮ                        ・・・（２）
１．８５＜Ｂ２ＮａｖｅＮ                  ・・・（３）
なる条件式を満足する。
【００２６】
条件式（１）は、第２レンズ群Ｂ２の光軸上の厚みと第２レンズ群Ｂ２の焦点距離の比の好ましい範囲に関する。条件式（１）の上限を超えて、第２レンズ群Ｂ２の負の焦点距離が短くなりすぎると（負の焦点距離の絶対値が小さくなりすぎると）フォーカシングに伴う収差変動、特に望遠端において倍率色収差や軸上色収差の補正が困難となる。
【００２７】
条件式（１）の下限を超えて、第２レンズ群Ｂ２の負の焦点距離が長くなりすぎると（負の焦点距離の絶対値が大きくなりすぎると）変倍効果が低下し、所望のズーム比を確保するために各レンズ群の移動量を増加しなければならなくなる。この結果、全系が大型化してくる。
【００２８】
条件式（２）は、第２レンズ群Ｂ２に含まれる正レンズの材料の屈折率の好ましい範囲を規定する。諸収差を良好に補正し、特に球面収差を良好に補正するために条件式（２）の下限を超えないことが好ましい。
【００２９】
条件式（３）は、第２レンズ群Ｂ２に含まれる負レンズの材料の屈折率の平均値の好ましい範囲を規定する。所望のズーム比を確保しつつ、特に像面湾曲、歪曲収差を良好に補正するためには条件式（３）の範囲を超えないことが好ましい。
【００３０】
更に好ましくは条件式（１）乃至（３）の数値範囲を次の如く設定することが好ましい。
１．０７０＜Ｂ２Ｄ／｜ｆ２｜＜１．１８５    ・・・（１ａ）
１．８５＜Ｂ２ＰＮ＜１．９８                ・・・（２ａ）
１．８５＜Ｂ２ＮａｖｅＮ＜１．９２          ・・・（３ａ）
【００３１】
更に好ましくは条件式（１ａ）乃至（３ａ）の数値範囲を次の如く設定することが好ましい。
１．０７０５＜Ｂ２Ｄ／｜ｆ２｜＜１．１８００    ・・・（１ｂ）
１．８７＜Ｂ２ＰＮ＜１．９５                    ・・・（２ｂ）
１．８６＜Ｂ２ＮａｖｅＮ＜１．９０              ・・・（３ｂ）
【００３２】
以上のように各実施例によれば、高ズーム比で広角端から望遠端に至る全ズーム範囲にわたり良好なる光学性能を有し、さらにフォーカシングに伴う諸収差の変動の抑制を実現したズームレンズを実現できる。更に好ましくは次の条件のうち１つ以上を満足するのが良い。
【００３３】
第２レンズ群Ｂ２に含まれる正レンズの材料のアッベ数をＢ２Ｐνとする。広角端における全系の焦点距離をｆｗとする。第１レンズ群Ｂ１の焦点距離をｆ１、望遠端における全系の焦点距離をｆｔとする。第３レンズ群Ｂ３の焦点距離をｆ３とする。第４レンズ群Ｂ４の焦点距離をｆ４とする。第５レンズ群Ｂ５の焦点距離をｆ５とする。第５レンズ群Ｂ５は正レンズを有し、第５レンズ群Ｂ５に含まれる正レンズの材料の屈折率とアッベ数を各々Ｂ５ＰＮ、Ｂ５Ｐνとする。
【００３４】
このとき次の条件式のうち１つ以上を満足するのが良い。
Ｂ２Ｐν＜２２．０                      ・・・（４）
０．５５＜Ｂ２Ｄ／ｆｗ＜０．８０        ・・・（５）
０．４５＜｜ｆ２｜／ｆｗ＜０．７５      ・・・（６）
０．８０＜ｆ１／ｆｔ＜１．２０          ・・・（７）
０．１０＜｜ｆ２｜／ｆ１＜０．１９      ・・・（８）
０．５０＜｜ｆ２｜／ｆ３＜０．８０      ・・・（９）
０．３５＜ｆ２／ｆ４＜０．８０          ・・・（１０）
０．９０＜｜ｆ４｜／ｆｗ＜１．３０      ・・・（１１）
０．３５＜ｆ３／ｆ５＜０．６５          ・・・（１２）
１．５１＜Ｂ５ＰＮ                      ・・・（１３）
６５．０＜Ｂ５Ｐν                      ・・・（１４）
【００３５】
次に前述の各条件式の技術的意味について説明する。条件式（４）は、第２レンズ群Ｂ２に含まれる正レンズの材料のアッベ数の好ましい範囲を規定する。広角端において倍率色収差の補正と望遠端において軸上色収差の補正を良好に行うためには条件式（４）の上限を超えないことが好ましい。
【００３６】
条件式（５）は、第２レンズ群Ｂ２の光軸上の厚みと、広角端における全系の焦点距離の好ましい範囲を規定する。条件式（５）の上限を超えて、第２レンズ群Ｂ２の厚さが長くなりすぎるとズーミングやフォーカシングに際しての移動量を短くしなければならず収差補正が困難となり、また所望のズーム比を確保するのが困難となる。
【００３７】
条件式（５）の下限を超えて、第２レンズ群Ｂ２の厚さが短くなりすぎると、構成されるレンズの形状の自由度が制限されるため、第２レンズ群Ｂ２を構成するレンズの材料の屈折率を高めなければならなくなる。一般に高い屈折率の材料はアッベ数が小さく色収差の補正が困難となるので良くない。
【００３８】
条件式（６）は、第２レンズ群Ｂ２の焦点距離と広角端における全系の焦点距離の比の好ましい範囲を規定する。条件式（６）の上限を超えて、第２レンズ群Ｂ２の焦点距離が長くなりすぎると諸収差の補正は容易となるが所望のズーム比を確保することが困難となる。条件式（６）の下限を超えて、第２レンズ群Ｂ２の焦点距離が短くなりすぎると、特に広角端において像面湾曲や倍率色収差の補正が困難となる。
【００３９】
条件式（７）は、第１レンズ群Ｂ１の焦点距離と望遠端における全系の焦点距離の比の好ましい範囲を規定する。条件式（７）の上限を超えて、第１レンズ群Ｂ１の焦点距離が長くなりすぎると諸収差の補正は容易となるが所望のズーム比を確保することが困難となる。条件式（７）の下限を超えて、第１レンズ群Ｂ１の焦点距離が短くなりすぎると特に望遠端において球面収差や軸上色収差の補正が困難となる。
【００４０】
条件式（８）は、第２レンズ群Ｂ２の負の焦点距離と第１レンズ群Ｂ１の焦点距離の比の好ましい範囲を規定する。条件式（８）の上限を超えて、第２レンズ群Ｂ２の負の焦点距離が長くなりすぎると諸収差の補正は容易となるが所望のズーム比を確保することが困難となる。条件式（８）の下限を超えて、第１レンズ群Ｂ１の焦点距離が長くなりすぎると特に望遠端において球面収差や軸上色収差の補正が困難となる。
【００４１】
条件式（９）は、第２レンズ群Ｂ２の負の焦点距離と第３レンズ群Ｂ３の焦点距離の比の好ましい範囲を規定する。条件式（９）の上限を超えて、第３レンズ群Ｂ３の焦点距離が短くなりすぎると所望のズーム比を確保することは容易となるが特に望遠端において球面収差の補正が困難となる。条件式（９）の下限を超えて、第２レンズ群Ｂ２の負の焦点距離が短くなりすぎると、特に広角端において像面湾曲や倍率色収差の補正が困難となる。
【００４２】
条件式（１０）は、第２レンズ群Ｂ２の負の焦点距離と第４レンズ群Ｂ４の負の焦点距離の比の好ましい範囲を規定する。条件式（１０）の上限を超えて、第４レンズ群Ｂ４の負の焦点距離が短くなりすぎると全系の小型化の効果は得やすいが、特に広角端において像面湾曲と望遠端において球面収差の補正が困難となる。条件式（１０）の下限を超えて、第２レンズ群Ｂ２の負の焦点距離が短くなりすぎると、特に広角端において像面湾曲や倍率色収差の補正が困難となる。
【００４３】
条件式（１１）は、第４レンズ群Ｂ４の負の焦点距離と広角端における全系の焦点距離の比の好ましい範囲を規定する。条件式（１１）の上限を超えて、第４レンズ群Ｂ４の負の焦点距離が長くなりすぎると第４レンズ群Ｂ４で像ぶれ補正するときの像ぶれ補正の効果が弱まり、像ぶれ補正に際してより大きな移動量必要となるため全系の小型化が困難になる。条件式（１１）の下限を超えて、第４レンズ群Ｂ４の負の焦点距離が短くなりすぎると、所望のブレ補正の効果は得やすいが、特に広角端において像面湾曲や倍率色収差の補正が困難となる。
【００４４】
条件式（１２）は、第３レンズ群Ｂ３の焦点距離と第５レンズ群Ｂ５の焦点距離の比の好ましい範囲を規定する。条件式（１２）の上限を超えて、第５レンズ群Ｂ５の焦点距離が短くなりすぎると広角端において像面湾曲や倍率色収差の補正が困難となる。条件式（１２）の下限を超えて、第３レンズ群Ｂ３の焦点距離が短くなりすぎると特に望遠端において球面収差の補正が困難となる。
【００４５】
条件式（１３）は、第５レンズ群Ｂ５に含まれる正レンズの材料の屈折率の好ましい範囲を規定する。広角端において像面湾曲を良好に補正するためには条件式（１３）の下限を超えないことが好ましい。条件式（１４）は、第５レンズ群Ｂ５に含まれる正レンズの材料のアッベ数の好ましい範囲を規定する。広角端において倍率色収差を良好に補正するためには条件式（１４）の下限を超えないことが好ましい。
【００４６】
より好ましくは条件式（４）乃至（１４）の数値範囲を次の如く設定するのが良い。
２０．０＜Ｂ２Ｐν＜２２．０            ・・・（４ａ）
０．６０＜Ｂ２Ｄ／ｆｗ＜０．７５        ・・・（５ａ）
０．５０＜｜ｆ２｜／ｆｗ＜０．７０      ・・・（６ａ）
０．８５＜ｆ１／ｆｔ＜１．１０          ・・・（７ａ）
０．１２＜｜ｆ２｜／ｆ１＜０．１７      ・・・（８ａ）
０．５５＜｜ｆ２｜／ｆ３＜０．７５      ・・・（９ａ）
０．４０＜ｆ２／ｆ４＜０．７５          ・・・（１０ａ）
０．９５＜｜ｆ４｜／ｆｗ＜１．２０      ・・・（１１ａ）
０．４０＜ｆ３／ｆ５＜０．５７          ・・・（１２ａ）
１．５１＜Ｂ５ＰＮ＜１．６５            ・・・（１３ａ）
６５．０＜Ｂ５Ｐν＜８０．０            ・・・（１４ａ）
【００４７】
更に好ましくは条件式（４ａ）乃至（１４ａ）の数値範囲を次の如く設定するのが良い。
２０．０＜Ｂ２Ｐν＜２１．０            ・・・（４ｂ）
０．６５＜Ｂ２Ｄ／ｆｗ＜０．７２        ・・・（５ｂ）
０．５４＜｜ｆ２｜／ｆｗ＜０．６７      ・・・（６ｂ）
０．９０＜ｆ１／ｆｔ＜１．００          ・・・（７ｂ）
０．１３＜｜ｆ２｜／ｆ１＜０．１６      ・・・（８ｂ）
０．５７＜｜ｆ２｜／ｆ３＜０．７２      ・・・（９ｂ）
０．４５＜ｆ２／ｆ４＜０．６８          ・・・（１０ｂ）
０．９８＜｜ｆ４｜／ｆｗ＜１．１８      ・・・（１１ｂ）
０．４１＜ｆ３／ｆ５＜０．５３          ・・・（１２ｂ）
１．５２＜Ｂ５ＰＮ＜１．６０            ・・・（１３ｂ）
６７．０＜Ｂ５Ｐν＜７７．０            ・・・（１４ｂ）
【００４８】
各実施例において好ましくは次の構成をとることが好ましい。第２レンズ群Ｂ２の最も物体側のレンズの両面は非球面形状とすることが良い。これによれば、広角端において歪曲収差と像面湾曲を良好に補正するのが容易になる。
【００４９】
第３レンズ群Ｂ３により像側には順に、負の屈折力の第４レンズ群Ｂ４と正の屈折力の第５レンズ群Ｂ５を配置すると良い。これは全系として物体側から順に正、負、正、負、正の屈折力のレンズ群の配置にすると正の屈折力のレンズ群と負の屈折力のレンズ群が交互に配置され、かつ対称的な屈折力の配置となることから収差補正が容易となる。
【００５０】
第４レンズ群Ｂ４は光軸に対して垂直方向の成分を持つ方向に移動させることで像ぶれを補正するのが良い。特に第４レンズ群Ｂ４は全系の中で最も小径であるため像ぶれ補正の機械的な機構を配置するときに小型な構造をとり易い。第４レンズ群Ｂ４は少なくとも１枚の正レンズと１枚の負レンズを含むことが良く、これによれば全系の小型化と高い光学性能を得るのが容易になる。またより好ましくは、第４レンズ群Ｂ４は１枚の正レンズと１枚の負レンズで構成されることが良い。
【００５１】
第３レンズ群Ｂ３の少なくとも１面は非球面形状とすることが良い。これによれば、望遠端において球面収差の補正が容易になる。また、第５レンズ群Ｂ５は少なくとも３枚以上のレンズで構成されていることが収差補正上好ましい。また、第５レンズ群Ｂ５の少なくとも１面は非球面形状とすることが良い。これによれば、広角端において像面湾曲の補正が容易になる。
【００５２】
次に本発明のズームレンズを撮像光学系として用いたデジタルスチルカメラの実施例を図７を用いて説明する。図７において、２０はカメラ本体、２１は各実施例で説明したいずれか１つのズームレンズによって構成された撮像光学系である。２２はカメラ本体に内蔵され、撮像光学系２１によって形成された被写体像を受光するＣＣＤセンサやＣＭＯＳセンサ等の撮像素子（光電変換素子）である。
【００５３】
２３は撮像素子２２によって光電変換された被写体像に対応する情報を記録するメモリである。２４は液晶ディスプレイパネル等によって構成され、撮像素子２２上に形成された被写体像を観察するためのファインダである。
【００５４】
本発明のズームレンズを光学系として用いたビデオカメラ（撮像装置）にも同様に適用することができる。このように本発明のズームレンズをデジタルスチルカメラやビデオカメラ等の撮像装置に適用することにより、小型で高い光学性能を有する撮像装置を実現している。
【００５５】
以下に本発明の各実施例に対応する数値データを示す。各数値データにおいてｉは物体側からの光学面の順序を示す。ｒｉは第ｉ番目の光学面の曲率半径、ｄｉは第ｉ番目の面間隔、ｎｄｉとνｄｉはそれぞれｄ線に対する第ｉ番目の光学部材の材料の屈折率とアッベ数を示す。バックフォーカス（ＢＦ）は、最終レンズ面から近軸像面までの空気換算での距離である。レンズ全長は、第１レンズ面から最終レンズ面までの距離にバックフォーカス（ＢＦ）を加えた値である。
【００５６】
数値データにおいて最後の２つの面はフィルター、フェースプレート等の光学ブロックの面である。またＫを離心率、Ａ４、Ａ６、Ａ８、Ａ１０、Ａ１２を非球面係数、光軸からの高さＨの位置での光軸方向の変位を面頂点を基準にしてｘとするとき、非球面形状は、
【００５７】
【数１】
2018004675.tif 000003
【００５８】
で表示される。但しＲは近軸曲率半径である。また例えば「ｅ−Ｚ」の表示は「１０−Ｚ」を意味する。また、各数値データにおける上述した条件式との対応を表１に示す。半画角は光線トレースにより求めた値である。非球面は面番号の後に＊を付加して示す。前述の各条件式と数値データにおける諸数値の関係を表１に示す。 
【００５９】
［数値実施例１］
単位 mm
面データ
面番号       r        d      nd         νd
1        178.434    1.80   1.84666    23.9           
2         68.215    7.84   1.72916    54.7           
3        751.188    0.15                             
4         50.147    5.96   1.77250    49.6           
5        104.481  (可変)                             
6*       115.979    1.60   1.85135    40.1           
7*        14.222    7.07                             
8        -37.011    1.10   1.91082    35.3           
9         69.605    0.15                             
10         40.887    4.50   1.89286    20.4           
11        -40.887    0.89                             
12        -25.711    1.10   1.83481    42.7           
13        -73.036  (可変)                             
14(FP)      ∞       0.20                             
15         45.063    4.20   1.59522    67.7           
16       -180.813    3.15                             
17(絞り)    ∞       0.20                             
18         30.571    1.40   2.00069    25.5           
19         16.729    9.80   1.63854    55.4           
20       -315.502    0.20                             
21*        47.174    4.90   1.58313    59.4           
22        -62.428  (可変)                             
23        -44.409    3.65   1.84666    23.9           
24        -16.518    1.00   1.76802    49.2           
25*        37.556  (可変)                             
26*        46.372    1.30   1.83220    40.1           
27         24.151   10.50   1.53775    74.7           
28        -30.802    0.20                             
29       -123.196    7.60   1.48749    70.2           
30        -19.698    1.60   2.00100    29.1           
31        -38.489  (可変)                             
32          ∞       1.20   1.51633    64.1           
33          ∞       0.69                             
像面        ∞   
【００６０】
非球面データ
第6面
K = 0.00000e+000  A 4= 1.20558e-005  A 6=-6.28320e-008  A 8= 2.64843e-010  A10=-6.26254e-013  A12= 7.20141e-016  
第7面
K = 0.00000e+000  A 4= 1.34983e-006  A 6=-1.01881e-007  A 8= 5.74225e-010  A10=-5.51879e-012  A12= 1.60555e-014  
第21面
K = 0.00000e+000  A 4=-8.16725e-006  A 6= 7.80825e-009  A 8= 2.82746e-011  A10= 6.09225e-014  A12= 2.43222e-016  
第25面
K = 0.00000e+000  A 4=-9.06418e-006  A 6= 2.95444e-009  A 8= 6.99562e-011  A10=-3.74665e-013  
第26面
K = 0.00000e+000  A 4=-2.62853e-006  A 6= 1.20172e-008  A 8=-1.53772e-012  A10=-7.72619e-015  
【００６１】
各種データ
ズーム比     4.13 
広角     中間     望遠
焦点距離      24.69    49.90   102.08  
Fナンバー      4.12     4.12     4.12  
半画角（度）  41.23    23.44    11.97  
像高          21.64    21.64    21.64  
レンズ全長   159.97   173.88   197.86  
BF            40.03    50.12    63.88  
d 5            2.53    18.62    35.63  
d13           21.85     9.58     2.78  
d22            2.01     7.41    11.28  
d25           11.50     6.10     2.22  
d31           38.55    48.63    62.40  
【００６２】
ズームレンズ群データ
群  始面    焦点距離  
1    1      96.47  
2    6     -13.93  
3   14      23.28  
4   23     -28.16  
5   26      53.39  
6   32       ∞    
【００６３】
［数値データ２］
単位 mm
面データ
面番号       r        d      nd         νd
1        224.088    1.80   1.84666    23.9           
2         71.763    7.85   1.72916    54.7           
3       1901.257    0.15                             
4         52.180    5.79   1.80400    46.6           
5        108.146  (可変)                             
6*       112.099    1.60   1.85135    40.1           
7*        14.484    7.31                             
8        -42.223    1.10   1.91082    35.3           
9         67.006    0.25                             
10         39.222    4.57   1.92286    20.9           
11        -44.946    0.60                             
12        -33.023    1.10   1.88300    40.8           
13       -166.305  (可変)                             
14(FP)      ∞       0.20                             
15         43.280    4.25   1.65160    58.5           
16       -516.529    3.15                             
17(絞り)    ∞       0.20                             
18         34.987    1.40   2.00069    25.5           
19         15.316    8.81   1.74400    44.8           
20        162.173    0.51                             
21*        38.542    5.59   1.58313    59.4           
22        -48.678  (可変)                             
23        -44.610    3.41   1.84666    23.9           
24        -16.079    1.00   1.76802    49.2           
25*        34.698  (可変)                             
26*        44.647    1.30   1.83220    40.1           
27         23.373   10.86   1.59522    67.7           
28        -29.940    0.20                             
29        -75.179    6.88   1.49700    81.5           
30        -19.678    1.60   2.00100    29.1           
31        -40.793  (可変)                             
32          ∞       1.20   1.51633    64.1           
33          ∞       0.68                             
像面        ∞   
【００６４】
非球面データ
第6面
K = 0.00000e+000  A 4= 8.04111e-006  A 6=-2.38439e-008  A 8= 7.86059e-012  A10= 1.10211e-013  A12=-1.50875e-016  
第7面
K = 0.00000e+000  A 4=-3.07786e-008  A 6=-7.72062e-008  A 8= 8.40874e-010  A10=-8.38088e-012  A12= 1.69016e-014  
第21面
K = 0.00000e+000  A 4=-8.14003e-006  A 6= 3.32447e-009  A 8= 1.28390e-010  A10=-4.82709e-013  A12= 2.03584e-015  
第25面
K = 0.00000e+000  A 4=-8.90655e-006  A 6= 6.94539e-009  A 8=-3.02307e-011  A10= 1.65876e-013  
第26面
K = 0.00000e+000  A 4=-3.96885e-006  A 6= 1.12148e-008  A 8= 1.52759e-012  A10=-1.03181e-014  
【００６５】
各種データ
ズーム比     4.13 
広角     中間     望遠
焦点距離      24.68    49.90   101.90  
Fナンバー      4.12     4.12     4.12  
半画角（度）  41.24    23.44    11.99  
像高          21.64    21.64    21.64  
レンズ全長   159.97   174.27   198.13  
BF            39.97    50.03    64.51  
d 5            2.67    19.61    36.35  
d13           22.86    10.15     2.80  
d22            2.00     6.85    10.58  
d25           10.99     6.14     2.42  
d31           38.50    48.56    63.04  
【００６６】
ズームレンズ群データ
群  始面    焦点距離  
1    1      99.62  
2    6     -14.87  
3   14      23.63  
4   23     -27.03  
5   26      49.75  
6   32       ∞    
【００６７】
［数値データ３］
単位 mm
面データ
面番号       r        d      nd         νd
1          ∞       1.65                             
2        166.778    1.80   1.92286    20.9           
3         84.075    8.06   1.69680    55.5           
4       2992.036    0.15                             
5         52.903    6.03   1.77250    49.6           
6         95.507  (可変)                             
7*       108.805    1.20   1.85400    40.4           
8*        14.817    7.71                             
9        -31.872    1.00   1.91082    35.3           
10         74.348    0.15                             
11         46.576    4.81   1.89286    20.4           
12        -40.474    1.33                             
13        -21.744    1.20   1.90043    37.4           
14        -31.301  (可変)                             
15(FP)      ∞       0.00                             
16         34.171    3.45   1.49700    81.5           
17        276.967    1.27                             
18(絞り)    ∞       0.02                             
19         27.120    1.30   2.00069    25.5           
20         16.666    8.59   1.59522    67.7           
21        -83.122    0.15                             
22*        70.781    4.02   1.58313    59.4           
23        -73.314  (可変)                             
24        -52.048    3.38   1.84666    23.9           
25        -16.921    0.80   1.77250    49.5           
26*        48.547    2.91                             
27        -74.465    1.61   1.73800    32.3           
28        -49.815    1.00   1.69680    55.5           
29        575.566  (可変)                             
30*        94.645    6.40   1.58313    59.4           
31        -25.902    0.15                             
32       -155.181    7.02   1.53775    74.7           
33        -19.216    2.00   2.00069    25.5           
34        -48.362  (可変)                             
35          ∞       1.20   1.51633    64.1           
36          ∞       3.33                            
像面        ∞   
【００６８】
非球面データ
第7面
K = 0.00000e+000  A 4= 9.75944e-006  A 6=-2.20135e-008  A 8= 4.80283e-011  A10= 8.65193e-015  
第8面
K = 0.00000e+000  A 4=-2.64921e-006  A 6=-3.44175e-008  A 8= 4.10905e-011  A10=-5.13889e-013  
第22面
K = 0.00000e+000  A 4=-1.27213e-005  A 6= 1.71920e-009  A 8= 1.78439e-011  A10= 1.15123e-013  
第26面
K = 0.00000e+000  A 4=-5.30386e-006  A 6= 1.17191e-008  A 8= 1.27946e-011  A10=-1.04782e-013  
第30面
K = 0.00000e+000  A 4=-6.90790e-006  A 6= 6.91316e-009  A 8= 2.46451e-011  A10=-6.23289e-014  
【００６９】
各種データ
ズーム比     4.66 
広角     中間     望遠
焦点距離      24.70    50.00   114.99  
Fナンバー      4.12     4.12     4.12  
半画角（度）  41.21    23.40    10.66  
像高          21.64    21.64    21.64  
レンズ全長   157.00   172.83   199.66  
BF            42.00    51.06    65.72  
d 6            2.52    22.24    43.51  
d14           23.45    10.51     1.40  
d23            2.00     5.77     8.86  
d29            7.86     4.09     1.00  
d34           37.88    46.94    61.60  
【００７０】
ズームレンズ群データ
群  始面    焦点距離  
1    1     105.43  
2    7     -16.15  
3   15      23.30  
4   24     -25.15  
5   30      45.98  
6   35       ∞    
【００７１】
【表１】
2018004675.tif 000004
【符号の説明】
【００７２】
Ｂ１  第１レンズ群        Ｂ２  第２レンズ群        Ｂ３  第３レンズ群
Ｂ４  第４レンズ群        Ｂ５  第５レンズ群
【図１】
2018004675.tif 000005
【図２】
2018004675.tif 000006
【図３】
2018004675.tif 000007
【図４】
2018004675.tif 000008
【図５】
2018004675.tif 000009
【図６】
2018004675.tif 000010
【図７】
2018004675.tif 000011